(57)【要約】【課題】簡単な構成で、いかなる内容物を収容した場合でも、積重や搬送等を伴う流通に使用する場合でも、収容箱そのものを変更することなく表示の変更可能となるスリーブ及び収容箱を提供すること。【解決手段】収容箱１００は、底面１３１と収容側壁１３２を有する収容部１３０と、天面１２１と蓋側壁１２２と有する蓋部１２０とを有し、蓋部１２０の蓋側壁１２２が収容部１３０の収容側壁１３２の外方に位置するように嵌合し、蓋部１２０は開口窓部１２３を有し、収容部１３０と蓋部１２０を嵌合した際に固定されるスリーブ１１０をさらに有すること。【選択図】図４
2019172292.tif 000002
【特許請求の範囲】
【請求項１】
収容側壁を有する収容部と開口窓部を有する蓋部とを有する収容箱に係合し、前記収容箱とは別体に構成され前記収容部と蓋部を嵌合した際に固定されるスリーブであって、
前記スリーブは、前記開口窓部に面する表示面と、前記収容側壁に係合する係合脚部とを有することを特徴とするスリーブ。
【請求項２】
前記スリーブは、前記係合脚部と、上面部とを有し、
前記係合脚部は、前記上面部から屈曲して前記収容側壁の外方に延びる外方脚部と、前記上面部から屈曲して前記収容側壁の内方に延びる内方脚部とを有することを特徴とする請求項１に記載のスリーブ。
【請求項３】
前記スリーブは、前記収容側壁への横方向の係合位置を規制する位置規制部を有することを特徴とする請求項１または請求項２に記載のスリーブ。
【請求項４】
前記係合脚部は、前記外方脚部の両側に内方脚部が配置され、前記内方脚部の前記外方脚部の反対側端縁が隣接する収容側壁と接することで位置規制部として機能するように構成されていることを特徴とする請求項３に記載のスリーブ。
【請求項５】
前記上面部は、下方に屈曲する屈曲片を有し、
前記屈曲片が、前記収容部に収容された収容物に当接して位置規制部として機能するように構成されていることを特徴とする請求項３に記載のスリーブ。
【請求項６】
底面と収容側壁を有する収容部と、天面と蓋側壁とを有する蓋部とを有し、前記蓋部の蓋側壁が前記収容部の収容側壁の外方に位置するように嵌合する収容箱であって、
前記蓋部は、開口窓部を有し、
前記収容箱は、前記収容部と蓋部を嵌合した際に固定される請求項１乃至請求項５のいずれかに記載のスリーブをさらに有することを特徴とする収容箱。
【請求項７】
前記蓋部の開口窓部は、少なくとも前記天面に開口し、
前記スリーブは、前記収容側壁と係合する係合脚部と、前記開口窓部に一部が露出して表示面を構成する上面部とを有し、
前記係合脚部は、前記上面部から屈曲して前記収容側壁の外方に延びる外方脚部と、前記上面部から屈曲して前記収容側壁の内方に延びる内方脚部とを有することを特徴とする請求項６に記載の収容箱。
【請求項８】
前記蓋部の開口窓部は、前記天面と蓋側壁とに連続して開口し、
前記外方脚部の一部と上面部の一部が、前記開口窓部に露出する表示面を構成し、
前記開口窓部は、前記外方脚部と前記上面部との屈曲線の両側端部が露出しないように設けられていることを特徴とする請求項６または請求項７に記載の収容箱。
【発明の詳細な説明】
【技術分野】
【０００１】
本発明は、収容箱とは別体に構成され収容部と蓋部を嵌合した際に固定されるスリーブ、及び、該スリーブと、底面と収容側壁を有する収容部と、天面と蓋側壁とを有する蓋部とを有し、蓋部の蓋側壁が収容部の収容側壁の外方に位置するように嵌合する収容箱に関する。
【背景技術】
【０００２】
従来から、底面と収容側壁を有する収容部と、天面と蓋側壁とを有する蓋部とを有した収容箱は周知であり、収容箱の蓋部に印刷を施したものも周知である。
蓋部への印刷は、収容する内容物や、使用目的に応じて様々であるが、変更したい場合は、別の印刷を施した蓋部を製造する必要があり、変更前の蓋部が余った場合には破棄するしかなくコストや資源の無駄が生じていた。
一方、収容箱（外装箱）の一部に表示窓を設け、収容する内容物（内装箱）が異なることが確認できる収容箱（包装箱）が公知である（特許文献１等参照。）
また、外面に表示体を着脱自在な表示体取付部を設け、表示体を取り替えることで異なる表示を可能とした収容箱（商品陳列用容器）が公知である（特許文献２等参照。）
【先行技術文献】
【特許文献】
【０００３】
【特許文献１】実開昭６３−１２８９２９号公報
【特許文献２】実用新案登録３０３４００５号公報
【発明の概要】
【発明が解決しようとする課題】
【０００４】
特許文献１等で公知の収容箱は、変更される表示は収容する内容物に依存するため、内容物が同じで使用用途による表示の変更はできないという問題があった。
また、収容する内容物（内装箱）が表示窓に密着していることを前提としており、円筒状の缶や、不定形の袋状の内容物を収容する場合、表示としての機能を果たさないという問題があった。
特許文献２等で公知の収容箱は、表示体を簡単に変更でき、陳列等の一時的な用途では使用可能であるが、表示体が外れる虞があり、積重や搬送等を伴う流通目的での使用は困難であるという問題があった。
【０００５】
そこで本発明は、簡単な構成で、いかなる内容物を収容した場合でも、積重や搬送等を伴う流通に使用する場合でも、収容箱そのものを変更することなく表示の変更可能となるスリーブ及び収容箱を提供することを目的とする。
【課題を解決するための手段】
【０００６】
本発明のスリーブは、収容側壁を有する収容部と開口窓部を有する蓋部とを有する収容箱に係合し、前記収容箱とは別体に構成され前記収容部と蓋部を嵌合した際に固定されるスリーブであって、前記スリーブは、前記開口窓部に面する表示面と、前記収容側壁に係合する係合脚部とを有することにより、前記課題を解決するものである。
また、本発明の収容箱は、底面と収容側壁を有する収容部と、天面と蓋側壁とを有する蓋部とを有し、前記蓋部の蓋側壁が前記収容部の収容側壁の外方に位置するように嵌合する収容箱であって、前記蓋部は、開口窓部を有し、前記収容箱は、前記収容部と蓋部を嵌合した際に固定されるスリーブをさらに有することにより、前記課題を解決するものである。
【発明の効果】
【０００７】
本請求項１に係る発明のスリーブ及び本請求項６に係る発明の収容箱によれば、スリーブが収容部と蓋部を嵌合した際に固定され、開口窓部に面する表示面と、収容側壁に係合する係合脚部とを有することにより、いかなる内容物を収容した場合でも、積重や搬送等を伴う流通に使用する場合でも、収容箱の蓋部、収容部を変更することなくスリーブを変更するだけで表示の変更が可能となり、コストや資源の無駄を低減することができる。
また、収容側壁に係合する係合脚部によって、蓋部を収容部に嵌合する際にスリーブを収容側壁に仮止めすることができ、容易にスリーブを固定することが可能となる。
【０００８】
本請求項２及び本請求項７に係る構成によれば、係合脚部は、上面部から屈曲して収容側壁の外方に延びる外方脚部と、上面部から屈曲して収容側壁の内方に延びる内方脚部とを有することにより、収容箱の収容側壁の形状を変更することなく、スリーブを収容側壁に仮止めすることができる。
本請求項３に記載の構成によれば、スリーブは収容側壁への横方向の係合位置を規制する位置規制部を有することにより、搬送や蓋部の着脱によって、開口窓部から見えるスリーブの表示面がずれることが防止される。
本請求項４に記載の構成によれば、係合脚部は、外方脚部の両側に内方脚部が配置され、内方脚部の前記外方脚部の反対側端縁が隣接する収容側壁と接することで位置規制部として機能するように構成されていることにより、いかなる内容物を収容しても干渉することなく収容側壁への横方向の係合位置を規制することが可能となる。
本請求項５に記載の構成によれば、屈曲片が収容部に収容された収容物に当接して位置規制部として機能するように構成されていることにより、スリーブを係合する収容側壁の長さや形状にかかわらず収容側壁への横方向の係合位置を規制することが可能となる。
また、屈曲片によってより確実に上面部を平面に保つことができる。
本請求項８に記載の構成によれば、スリーブによる表示面がより拡大されるとともに、収容部と蓋部を嵌合した際に、スリーブの外方脚部と上面部との屈曲線の両端が固定され、開口窓部を大きくしてもスリーブの形状を確実に維持することが可能となる。
【図面の簡単な説明】
【０００９】
【図１】本発明の一実施形態であるスリーブの展開図。
【図２】本発明の一実施形態である収容箱の蓋部の展開図。
【図３】本発明の一実施形態である収容箱の斜視図（参考写真）。
【図４】スリーブを収容側壁に係合した斜視図（参考写真）。
【図５】スリーブを収容側壁に係合する前の斜視図（参考写真）。
【図６】スリーブを別方向から見た斜視図（参考写真）。
【図７】本発明の他の実施形態であるスリーブの展開図。
【発明を実施するための形態】
【実施例】
【００１０】
本発明の一実施形態である収容箱１００及びスリーブ１１０について、図面（参考写真）に基づいて説明する。
スリーブ１１０は、図１や図６に示すように、上面部１１１と係合脚部１１２とを有し、係合脚部１１２は、上面部１１１から屈曲線１１６ａで屈曲する外方脚部１１３と、上面部１１１から屈曲線１１６ｂで屈曲する内方脚部１１４とを有している。
内方脚部１１４は外方脚部１１３の両側に配置され、内方脚部１１４の外方脚部１１３とは反対側端縁が後述する位置規制部１１５として機能する。
【００１１】
蓋部１２０は、図２乃至図５に示すように、矩形の天面１２１と４つの蓋側壁１２２とを有し、天面１２１から１つの蓋側壁１２２にかけて開口窓部１２３が設けられている。
収容部１３０は、図４や図５に示すように、矩形の底面１３１と４つの収容側壁１３２と有している。
本実施形態では、収容側壁１３２は紙厚以上の厚みを有するように構成され、スリーブ１１０の外方脚部１１３の屈曲線１１６ａと内方脚部１１４の屈曲線１１６ｂは、収容側壁１３２の厚みを考慮した異なる位置に設けられている。
【００１２】
収容箱１００は、蓋部１２０を収容部１３０に嵌合する際には、蓋側壁１２２が収容側壁１３２の外方に位置して嵌合するように構成されており、図４に示すように、収容部１３０の収容側壁１３２をスリーブ１１０の外方脚部１１３と内方脚部１１４で挟むよう取り付けた後、蓋部１２０の開口窓部１２３がスリーブ１１０と重なるように蓋部１２０を収容部１３０に嵌合することで、図３に示すように、スリーブ１１０の表示面が蓋部１２０の開口窓部１２３から露出して見える収容箱１００が構成される。
【００１３】
本実施形態では、スリーブ１１０の長手方向の寸法を、取り付ける収容側壁１３２の内面側の幅とほぼ同じ長さに構成されており、両方の内方脚部１１４の外方脚部１１３とは反対側端縁が隣接する収容側壁１３２と接して位置規制部１１５として機能するように構成され横方向の位置決めが行われ、移動を防止している。
また、蓋部１２０の開口窓部１２３は、外方脚部１１３と上面部１１１との屈曲線１１６ａの両側端部が露出しないように設けられている。
蓋部１２０の開口窓部１２３の大きさや形状、及び、スリーブ１１０の上面部１１１と外方脚部１１３の大きさや形状は、必要に応じて適宜設計可能である。
【００１４】
他の実施形態であるスリーブ１１０ｂは、図７に示すように、上面部１１１ｂから屈曲線１１６ａで屈曲する外方脚部１１３ｂと、外方脚部１１３ｂの両側に上面部１１１ｂから屈曲線１１６ｂで屈曲する内方脚部１１４ｂとを有しており、両側の内方脚部１１４ｂは外方脚部１１３ｂの外側で連続するように構成されている。
また、上面部１１１ｂには、屈曲線１１６ｃで下方に屈曲する屈曲片１１７ｂを有している。
このスリーブ１１０ｂによれば、屈曲片１１７ｂを収容部１３０に収容される内容物に当接させて位置規制部とすることが可能となり、スリーブ１１０ｂの長手方向の寸法を自由に設定することが可能となる。
また、屈曲片１１７ｂを有することで、より確実に上面部１１１ｂを平面に保つことができ、寸法を長くすることが可能となり、開口窓部１２３を大きくして露出する表示面を大きくすることが可能となる。
【００１５】
なお、収容箱は、ボール紙、段ボール等で形成されるのが一般的であるが、その紙質はいかなるものであってもよく、種々のコーティングが行われたもの、紙以外の樹脂等で形成されたものであってもよい。
また、収容部、蓋部、スリーブが異なる材料で形成されていてもよい。
【符号の説明】
【００１６】
１００  ・・・  収容箱
１１０  ・・・  スリーブ
１１１  ・・・  上面部
１１２  ・・・  係合脚部
１１３  ・・・  外方脚部
１１４  ・・・  内方脚部
１１５  ・・・  位置規制部
１１６  ・・・  屈曲線
１１７  ・・・  屈曲片
１２０  ・・・  蓋部
１２１  ・・・  天面
１２２  ・・・  蓋側壁
１２３  ・・・  開口窓部
１３０  ・・・  収容部
１３１  ・・・  底面
１３２  ・・・  収容側壁
【図１】
2019172292.tif 000003
【図２】
2019172292.tif 000004
【図３】
2019172292.tif 000005
【図４】
2019172292.tif 000006
【図５】
2019172292.tif 000007
【図６】
2019172292.tif 000008
【図７】
2019172292.tif 000009